(57)【要約】【課題】パネル体を任意の位置において停止可能としながらも、停止位置に移動するパネル体の衝撃を緩和し得るパネル装置を提供する。【解決手段】パネル装置１は、パネル体１０の上下方向一端側を、パネル幅方向に沿う方向にスライド自在にガイドするガイドレール２０と、前記パネル体の上下方向一端側に設けられ、スライド方向一方側に移動する当該パネル体を減速させる緩衝機構１５と、を備えており、前記緩衝機構を作動させるトリガー部３４と、このトリガー部よりもスライド方向一方側に配され、かつ前記パネル体のスライド方向一方側への移動を抑止するストッパー部３１と、を前記ガイドレールの長手方向の任意の位置に固定可能としている。【選択図】図１
2016199938.tif 000002
【特許請求の範囲】
【請求項１】
パネル体の上下方向一端側を、パネル幅方向に沿う方向にスライド自在にガイドするガイドレールと、前記パネル体の上下方向一端側に設けられ、スライド方向一方側に移動する当該パネル体を減速させる緩衝機構と、を備えており、
前記緩衝機構を作動させるトリガー部と、このトリガー部よりもスライド方向一方側に配され、かつ前記パネル体のスライド方向一方側への移動を抑止するストッパー部と、を前記ガイドレールの長手方向の任意の位置に固定可能としていることを特徴とするパネル装置。
【請求項２】
請求項１において、
前記トリガー部は、前記緩衝機構を作動させて前記パネル体の減速が可能なように、前記ストッパー部からスライド方向に所定間隔を隔てた位置に該ストッパー部に対して固定的に設けられていることを特徴とするパネル装置。
【請求項３】
請求項１または２において、
前記ガイドレールには、前記ストッパー部及び前記トリガー部の両方または一方を、当該ガイドレールに対して固定する固定部を長手方向にスライド自在に保持する保持溝が設けられていることを特徴とするパネル装置。
【請求項４】
請求項３において、
前記固定部は、前記保持溝の溝内壁に圧接されて前記ガイドレールに対して固定される構造とされていることを特徴とするパネル装置。
【請求項５】
請求項１乃至４のいずれか１項において、
前記ガイドレールは、前記パネル体を吊下支持する上ガイドレールとされ、前記緩衝機構は、前記パネル体の上端側に設けられていることを特徴とするパネル装置。
【発明の詳細な説明】
【技術分野】
【０００１】
本発明は、パネル体をスライド自在にガイドするガイドレールを有したパネル装置に関する。
【背景技術】
【０００２】
従来より、引戸をスライド自在にガイドするガイドレールを戸枠に設けた引戸装置が知られている。このような引戸装置では、全開位置及び閉鎖位置に移動する引戸の戸当りとなる戸枠の縦枠に対する衝撃が大きくなるという問題があった。
例えば、下記特許文献１には、引戸の頂部に設けられるガイドユニットに、ガイドレールに設けられた受け部材に係合して制動力を作用させる装置本体を設けたスライドアシスト装置が開示されている。
【先行技術文献】
【特許文献】
【０００３】
【特許文献１】特開２０１３−１５１８５５号公報
【発明の概要】
【発明が解決しようとする課題】
【０００４】
ところで、上記のように引戸が戸枠に建て付けられる場合には、戸枠を戸当りとして機能させることができるが、例えば、ガイドレールの長手方向の途中位置において引戸を停止させたいような場合には、更なる改善が望まれる。
【０００５】
本発明は、上記実情に鑑みてなされたものであり、パネル体を任意の位置において停止可能としながらも、停止位置に移動するパネル体の衝撃を緩和し得るパネル装置を提供することを目的としている。
【課題を解決するための手段】
【０００６】
前記目的を達成するために、本発明に係るパネル装置は、パネル体の上下方向一端側を、パネル幅方向に沿う方向にスライド自在にガイドするガイドレールと、前記パネル体の上下方向一端側に設けられ、スライド方向一方側に移動する当該パネル体を減速させる緩衝機構と、を備えており、前記緩衝機構を作動させるトリガー部と、このトリガー部よりもスライド方向一方側に配され、かつ前記パネル体のスライド方向一方側への移動を抑止するストッパー部と、を前記ガイドレールの長手方向の任意の位置に固定可能としていることを特徴とする。
【発明の効果】
【０００７】
本発明に係るパネル装置は、上述のような構成としたことで、パネル体を任意の位置において停止可能としながらも、停止位置に移動するパネル体の衝撃を緩和することができる。
【図面の簡単な説明】
【０００８】
【図１】（ａ）、（ｂ）は、いずれも本発明の一実施形態に係るパネル装置の一例を模式的に示し、図４（ｂ）におけるＸ部に対応させた一部破断概略正面図である。
【図２】同パネル装置の一部を省略した一部破断概略分解正面図である。
【図３】（ａ）は、図１（ｂ）におけるＹ−Ｙ線矢視に対応させた一部破断概略縦断面図、（ｂ）、（ｃ）は、（ａ）におけるＺ−Ｚ線矢視に対応させた一部破断概略横断面図である。
【図４】（ａ）、（ｂ）は、いずれも同パネル装置を施工した状態の一例を模式的に示す一部破断概略正面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係るパネル装置を施工した状態を基準として上下方向等の方向を説明する。
【００１０】
本実施形態に係るパネル装置１は、図１及び図４に示すように、パネル体１０の上下方向一端側を、パネル幅方向に沿う方向にスライド自在にガイドするガイドレール２０を備えている。また、パネル装置１は、パネル体１０の上下方向一端側に設けられ、スライド方向一方側に移動する当該パネル体１０を減速させる緩衝機構１５を備えている。また、パネル装置１は、緩衝機構１５を作動させるトリガー部３４と、このトリガー部３４よりもスライド方向一方側に配され、かつパネル体１０のスライド方向一方側への移動を抑止するストッパー部３１と、を備えている。また、パネル装置１は、これらトリガー部３４とストッパー部３１とをガイドレール２０の長手方向の任意の位置に固定可能としている。
本実施形態では、ガイドレール２０を、パネル体１０の上下方向一端側としての上端側をガイドする構成としている。つまり、ガイドレール２０を、パネル体１０を吊下支持する上ガイドレール２０とし、緩衝機構１５を、パネル体１０の上端側に設けている。
【００１１】
このパネル装置１は、例えば、住宅等の建物内に設けられるものとしてもよく、貸店舗等の商業施設や公共施設等に設けられるものとしてもよく、種々の空間に設けられるものとしてもよい。また、このパネル装置１は、パネル体１０を出入口となる開口を開閉する扉として機能させるように設置される態様としてもよく、パネル体１０を、空間の一部を覆うように、一時的な衝立や、間仕切等として機能させるように設置される態様としてもよい。
本実施形態では、このパネル装置１を、一枚のパネル体１０と、このパネル体１０をガイドする単レール構造の上ガイドレール２０と、を備えた構成としている。また、図例では、天井２及び床３によって上下両側が区画された室内空間にパネル装置１を設置した例を示しており、戸枠等を設けずに、上ガイドレール２０を天井２に埋込状に設置した例を示している。なお、パネル体１０の下端側をガイドするガイドピン等のガイド部材を床３側に設けた態様としてもよい。
【００１２】
パネル体１０は、矩形平板状とされ、図４に示すように、上下に長尺状とされている。このパネル体１０は、上下寸法が床３近傍から天井２近傍までの上下寸法に応じた寸法とされている。なお、パネル体１０の適所に、適宜の手掛部を設けた態様としてもよい。
また、このパネル体１０の上端部には、上ガイドレール２０にガイドされる被ガイド部１１，１２が設けられている。本実施形態では、スライド方向一方側に移動するパネル体１０の後端側となるスライド方向他方側のパネル幅方向の端部に、被ガイド部としての第１ランナー１１を設けた構成としている。また、スライド方向一方側に移動するパネル体１０の前端側となるスライド方向一方側のパネル幅方向の端部に、被ガイド部として機能し、かつ緩衝機構１５が組み込まれた第２ランナーユニット１２を設けた構成としている。
【００１３】
第１ランナー１１は、詳細な図示は省略しているが、パネル体１０の上端部のスライド方向他方側のパネル幅方向の端部に連結されており、パネル厚さ方向に沿う軸廻りに回転する複数の転動体を設けた構成とされている。この第１ランナー１１の転動体は、後記する上ガイドレール２０の案内片部２６，２６（図３（ａ）参照）上を走行するように転動する構成とされている。
第２ランナーユニット１２は、図１に示すように、パネル体１０の上端部のスライド方向一方側のパネル幅方向の端部に連結された第２ランナー１３と、この第２ランナー１３のスライド方向他方側に連なるように設けられた緩衝機構１５と、を備えている。パネル体１０の上端部のパネル幅方向両端部には、これら第１ランナー１１及び第２ランナーユニット１２の連結固定部を収容する収容凹所（カップ部）が設けられている。
【００１４】
第２ランナー１３は、パネル厚さ方向に沿う軸廻りに回転する複数の転動体１３ａ，１３ａを設けた構成とされている。この第２ランナー１３の転動体１３ａ，１３ａは、後記する上ガイドレール２０の案内片部２６，２６（図３（ａ）参照）上を走行するように転動する構成とされている。
緩衝機構１５は、パネル体１０に連結された第２ランナー１３からスライド方向他方側に向けて延びるように、かつ第２ランナー１３に対して片持ち状に設けられている。本実施形態では、この緩衝機構１５のスライド方向他方側の端部に、上ガイドレール２０にガイドされる補助被ガイド部１４を設けた構成としている。この補助被ガイド部１４には、パネル厚さ方向に沿う軸廻りに回転し、後記する上ガイドレール２０の案内片部２６，２６（図３（ａ）参照）上を走行するように転動する複数の転動体１４ａ，１４ａが設けられている。
【００１５】
また、緩衝機構１５は、上ガイドレール２０の長手方向に沿って長尺状とされている。この緩衝機構１５は、後記する上ガイドレール２０のガイド溝２１に収容される構成とされている。また、この緩衝機構１５は、スライド方向一方側に移動するパネル体１０を減速させる機能に加え、パネル体１０のスライド方向一方側への移動をアシスト（助勢）する機能を有した構成とされている。つまり、この緩衝機構１５は、スライド方向一方側に移動するパネル体１０を減速させながらスライド方向一方側に移動させる構成とされている。
この緩衝機構１５は、レール長手方向に沿って長尺筒状とされたケーシング内に、レール長手方向に沿って伸縮するロッドを有したシリンダー１６と、このシリンダー１６のロッドの先端部に連結されたスライド体１７と、を設けた構成とされている。
【００１６】
シリンダー１６は、補助被ガイド部１４側が基端側とされ、第２ランナー１３側においてロッドを伸縮させる構成とされている。
このシリンダー１６には、ロッドを縮退方向、つまり、補助被ガイド部１４側に付勢する引張コイルばね等からなる付勢部材が設けられている。この付勢部材の付勢によって、パネル体１０のスライド方向一方側への移動の助勢がなされる構成とされている。
また、シリンダー１６には、この付勢部材の付勢に抗するように、縮退されるロッドの作動抵抗となるダンパー（ショックアブソーバー）が設けられている。このダンパーの作動抵抗（作動流体の粘性抵抗等）によって付勢部材の復元が抑えられてスライド体１７の移動が減速され、スライド方向一方側に移動するパネル体１０の減速がなされる構成とされている。
【００１７】
なお、シリンダー１６としては、エア式や油式のものとしてもよく、また、付勢部材を別途に外周側等に設けた構成とされたものとしてもよく、その他、種々の変形が可能である。また、このシリンダー１６のロッドの伸縮寸法（ストローク）、つまりは、スライド体１７のスライド方向に沿う可動寸法は、パネル体１０の減速が可能なように、適宜、設定するようにしてもよい。また、このロッドの伸縮寸法は、パネル体１０の質量やスライド方向一方側にスライド操作されるパネル体１０の想定される慣性力等に応じて、また、緩衝機構１５の小型化を図る観点等から、適宜、設定するようにしてもよい。例えば、このロッドの伸縮寸法を、３０ｍｍ〜２００ｍｍ程度としてもよい。
【００１８】
スライド体１７は、後記するトリガー部３４に係合して緩衝機構１５を作動させる第１突起部１８を有している。このスライド体１７は、図２に示すように、シリンダー１６のロッドの先端部に対してパネル厚さ方向に沿う軸廻りに回転自在に設けられている。
第１突起部１８は、この軸廻りの回転を伴い、緩衝機構１５のケーシングに対して上下方向に概ね沿うように出没される構成とされている。この第１突起部１８は、ケーシングの上面から上方に向けて突出した状態でトリガー部３４に係合する構成とされている。また、この第１突起部１８は、図２の二点鎖線で示すように、第２ランナー１３近傍部位において没入可能とされ、この没入した状態でトリガー部３４との係合が解除された状態となる。
【００１９】
緩衝機構１５のケーシングの上板部には、この第１突起部１８をスライド自在にガイドするスライド方向に長尺なスライド溝が設けられている。このスライド溝は、第１突起部１８を突出させた状態でスライド体１７のスライドをガイドする構成とされている。また、このスライド溝のスライド方向一方側となる第２ランナー１３側の端部には、トリガー部３４によって押されるように回転して第１突起部１８が没入状態とされたスライド体１７を、シリンダー１６の付勢部材の付勢に抗して保持する保持部が設けられている。つまり、この保持部は、シリンダー１６のロッドを伸長させた状態で保持する構成とされている。
また、第１突起部１８は、スライド方向他方側となる補助被ガイド部１４側に、補助被ガイド部１４側に向く係合面１８ａを有し、スライド方向一方側となる第２ランナー１３側に、第２ランナー１３側に向かうに従い下るように傾斜する傾斜面１８ｂを有している。
【００２０】
また、スライド体１７には、上記のように保持部によって第２ランナー１３近傍部位において没入状態で保持された第１突起部１８を突出状態に復帰させるようにトリガー部３４に係合する第２突起部１９が設けられている。
第２突起部１９は、第１突起部１８からスライド方向他方側となる補助被ガイド部１４側にスライド方向に間隔を空けて設けられている。この第２突起部１９は、図２に示すように、第１突起部１８が突出状態及び没入状態のいずれの状態においてもケーシングの上面から上方に向けて突出した状態とされる。
また、第２突起部１９は、スライド方向一方側となる第２ランナー１３側に、第２ランナー１３側に向く係合面１９ａを有し、スライド方向他方側となる補助被ガイド部１４側に、補助被ガイド部１４側に向かうに従い下るように傾斜する傾斜面を有している。また、この第２突起部１９のパネル厚さ方向に沿う寸法は、第１突起部１８のパネル厚さ方向に沿う寸法よりも小とされている。
【００２１】
上ガイドレール２０は、図３（ａ）に示すように、第１ランナー１１及び第２ランナー１３（第２ランナーユニット１２）をガイドするガイド溝２１を下向きに開口するように設けた構成とされている。この上ガイドレール２０は、ガイド溝２１を、長手方向両端側が開口するように全長に亘って設けた構成とされ、全長に亘って一様な断面形状とされている。
この上ガイドレール２０は、パネル体１０の所望するスライド量（可動幅）等に応じて、適宜の長さ寸法とされたものとしてもよい。この上ガイドレール２０の長さ寸法は、例えば、パネル体１０を、戸枠に設置する場合には、戸枠の上枠の長さに応じた寸法としてもよい。また、パネル体１０を、室内空間の一部を覆うように設置する場合には、この室内空間を横断するように、上ガイドレール２０を、室内空間のパネル幅方向に沿う方向の略全体に亘って設けたような態様等としてもよい。なお、この上ガイドレール２０は、天井２側の天井下地や上枠等の適宜の取付対象に取り付けられるものとしてもよい。
【００２２】
また、この上ガイドレール２０は、ガイド溝２１の底側を区画する底壁部２２とガイド溝２１の溝幅方向両側を区画する両側壁部２５，２５とを備えている。また、上ガイドレール２０は、これら両側壁部２５，２５の下端部から互いに向き合う方向に突出し、第１ランナー１１及び第２ランナーユニット１２の各転動体１３ａ，１４ａを案内支持する案内片部２６，２６を備えている。
また、本実施形態では、上ガイドレール２０に、ストッパー部３１及びトリガー部３４の両方または一方を、上ガイドレール２０に対して固定する固定部３８を長手方向にスライド自在に保持する保持溝２３を設けた構成としている。
【００２３】
保持溝２３は、下方に向けて開口するように底壁部２２の幅方向中央部位に設けられている。この保持溝２３は、当該上ガイドレール２０の全長に亘って設けられている。
この保持溝２３は、溝長手方向に見て矩形状とされた矩形溝状とされている。底壁部２２の幅方向中央部位には、この保持溝２３の溝幅方向両側を区画するように両側壁部が下方に向けて突出するように設けられている。また、底壁部２２には、これら両側壁部の下端部から互いに向き合う方向に突出し、固定部３８をスライド自在に保持する保持片部が連なるように設けられている。また、図例では、この保持溝２３の溝深さ寸法となる上下寸法を、溝幅寸法よりも小さくした扁平な溝形状としている。また、図例では、この保持溝２３の開口を区画する両保持片部の基端側部位に、下方に向けて突出する一対の突条を設けた例を示している。
【００２４】
トリガー部３４は、上記した緩衝機構１５のスライド体１７に係合する構成とされている。
ストッパー部３１は、スライド方向一方側に移動するパネル体１０のスライド方向一方側のパネル幅方向の端部の上端部に当接される構成とされている。
本実施形態では、トリガー部３４を、緩衝機構１５を作動させてパネル体１０の減速が可能なように、ストッパー部３１からスライド方向に所定間隔を隔てた位置にストッパー部３１に対して固定的に設けた構成としている。
また、図２に示すように、これらトリガー部３４とストッパー部３１とを、ストッパーユニット３０に設け、このストッパーユニット３０を、上ガイドレール２０の長手方向の任意の位置に固定可能とした構成としている。また、本実施形態では、保持溝２３にスライド自在に保持された固定部３８を、このストッパーユニット３０を上ガイドレール２０に固定する構成とし、保持溝２３の溝内壁２４に圧接されて上ガイドレール２０に対して固定される構造としている。
【００２５】
ストッパーユニット３０は、ブロック状とされたストッパー部３１の上面に沿うように、かつスライド方向他方側に向けて延びるように、トリガー部３４を有した受部３３を設けた構成とされている。なお、ストッパーユニット３０は、これらストッパー部３１と受部３３とを一体的に成形して構成されたものとしてもよく、別体とされたストッパー部３１と受部３３とを固定して構成されたものとしてもよい。
ストッパー部３１は、図１及び図３（ａ）に示すように、上ガイドレール２０のガイド溝２１から下方側に向けて突出するように配される構成とされている。本実施形態では、このストッパー部３１を、直方体ブロック状としている。
【００２６】
このストッパー部３１のスライド方向他方側に向く面に、パネル体１０のスライド方向一方側に向くパネル幅方向の側端面が当接する構成とされている。このストッパー部３１の上下方向に沿う寸法及びレール長手方向に沿う寸法は、パネル体１０を安定的に停止させる観点や見栄え上の観点等から適宜の寸法としてもよい。また、図例では、このストッパー部３１のガイド溝２１の溝幅方向に沿う寸法を、ガイド溝２１への挿入が可能なように、上ガイドレール２０の両案内片部２６，２６間の溝幅方向に沿う寸法よりも小としている。また、図例では、このストッパー部３１の上端部を、上ガイドレール２０の底壁部２２に設けられた一対の突条に当接させて固定した例を示している。
なお、このストッパー部３１は、金属系材料や合成樹脂系材料から形成されたものとしてもよい。また、このストッパー部３１のパネル体１０の当接される部位にゴムや軟質合成樹脂製等の緩衝体を設けた構成としてもよい。また、ストッパー部３１としては、上記のような直方体ブロック状とされたものに限られず、種々の変形が可能であり、例えば、上方側部位や下方側部位に溝幅方向に膨出したような部位を設けた構成としてもよい。また、ストッパー部３１の上方側部位に溝幅方向に膨出したような部位を設けた場合には、上ガイドレール２０の長手方向の端部の開口を介してガイド溝２１にストッパー部３１を挿入可能としたような態様としてもよい。
【００２７】
受部３３は、上下方向に厚さ方向を沿わせた薄板状とされている。この受部３３は、図３（ａ）に示すように、上ガイドレール２０の底壁部２２に設けられた一対の突条間に差し入れられ、保持溝２３を区画する両保持片部の下面に当接するように配される構成とされている。
トリガー部３４は、図２に示すように、この受部３３のスライド方向他方側部位に設けられており、下方側に向けて突出する係合突起状とされている。このトリガー部３４は、ガイド溝２１の溝幅方向に見て矩形状とされている。また、トリガー部３４は、スライド方向一方側に向く第１係合面３４ａがスライド体１７の第１突起部１８の係合面１８ａに当接され、スライド方向他方側に向く第２係合面３４ｂがスライド体１７の第２突起部１９の係合面１９ａに当接される構成とされている。このトリガー部３４がスライド体１７の第１突起部１８及び第２突起部１９に係合することで、後記するように緩衝機構１５の作動（シリンダー１６の伸長並びにパネル体１０の減速及び助勢）がなされる。
【００２８】
このトリガー部３４のレール長手方向に沿う寸法は、スライド体１７の両突起部１８，１９間の寸法と概ね同寸法とされている。つまり、このトリガー部３４は、両突起部１８，１９間に設けられた凹所に嵌り込むように係合する構成とされている。
また、このトリガー部３４とストッパー部３１との間のスライド方向に沿う寸法（上記所定間隔）は、パネル体１０の減速が可能なように、上記した緩衝機構１５のシリンダー１６のロッドのストロークに応じて、適宜、設定するようにしてもよい。つまり、上記所定間隔は、図１（ａ）に示すように、スライド方向一方側に移動するパネル体１０のスライド体１７がトリガー部３４に係合した状態におけるパネル体１０とストッパー部３１との間のスライド方向に沿う寸法（作動（制動）距離）がパネル体１０の減速が可能でかつシリンダー１６のロッドのストローク以下の寸法となるように、適宜、設定するようにしてもよい。
【００２９】
また、本実施形態では、図２に示すように、受部３３に、トリガー部３４よりもスライド方向他方側において第１突起部１８が突出状態とされたスライド体１７の第１突起部１８を正常な没入状態にし得る復帰部３５を設けている。
この復帰部３５は、トリガー部３４からスライド方向他方側に間隔を空けて設けられている。また、この復帰部３５は、下方側に向けて突出するように設けられている。また、復帰部３５は、スライド方向他方側に、斜め下方側に向く傾斜面３５ａを有し、スライド方向一方側に、スライド方向一方側に向き、スライド体１７の第１突起部１８の係合面１８ａに当接される係合面３５ｂを有している。また、この復帰部３５は、突出状態の第１突起部１８に係合する一方、第２突起部１９には干渉しないように設けられている。例えば、この復帰部３５を、上記のようにパネル厚さ方向に沿う寸法が第１突起部１８のパネル厚さ方向に沿う寸法よりも小とされた第２突起部１９を受け入れるようにパネル厚さ方向に間隔を空けて対状に設けられた突片部としてもよい。
【００３０】
トリガー部３４及びストッパー部３１（ストッパーユニット３０）を上ガイドレール２０に固定する固定部３８は、図３（ａ）に示すように、上記した保持溝２３に挿入可能なように薄板状とされている。トリガー部３４及びストッパー部３１（ストッパーユニット３０）は、この固定部３８を介して上ガイドレール２０に対して保持される構成とされている。
本実施形態では、この固定部３８を、保持溝２３の溝内壁２４に圧接させて固定する固定状態と保持溝２３に沿わせてスライド自在とする固定解除状態とに切り替える操作部３６を設けた構成としている。本実施形態では、この操作部３６を、固定部３８にねじ合されるボルト３６としている。また、このボルト３６を、ストッパー部３１を貫通するように設け、このボルト３６によって固定部３８を上ガイドレール２０の長手方向の任意の位置に固定可能とした構成としている。ストッパー部３１には、ボルト３６の雄ねじ部３７が挿通される挿通孔３２が上下方向に貫通するように設けられている。
【００３１】
また、固定部３８には、ボルト３６の雄ねじ部３７がねじ合される雌ねじ部３９が設けられている。この固定部３８の雌ねじ部３９にボルト３６の雄ねじ部３７が捩じ込まれることで、固定部３８の下面が保持溝２３の溝内壁２４を構成する両保持片部の上面に圧接され、ストッパーユニット３０が上ガイドレール２０に固定される構成とされている。また、ストッパーユニット３０の位置を移動させる際には、例えば、保持溝２３に沿わせて固定部３８の移動が可能で、かつ固定部３８にストッパーユニット３０を保持させた状態となるようにボルト３６を緩める。そして、固定部３８とともにストッパーユニット３０を所望する位置に移動させ、ボルト３６を締め付けることでストッパーユニット３０を所望する位置において固定するようにしてもよい（図３（ｂ）、（ｃ）参照）。
図例では、この雌ねじ部３９を、固定部３８を厚さ方向に貫通させるように、また、バーリング状に設けた例を示している。つまり、固定部３８は、板ナット状とされている。なお、このように雌ねじ部３９を貫通させた態様に代えて、雌ねじ部３９を貫通させないように固定部３８に設けた態様としてもよい。
【００３２】
また、固定部３８は、図３（ｂ）、（ｃ）に示すように、厚さ方向に見て、略方形状とされている。図例では、固定部３８を、厚さ方向に見てレール長手方向に長尺な略長方形状とした例を示している。また、図例では、ボルト３６の捩じ込みに伴い回転して保持溝２３の溝幅方向両溝内壁２４，２４に当接される一対の角部を、厚さ方向に見て突湾曲面形状とした例を示している。
この固定部３８の溝幅方向に沿う寸法は、保持溝２３内をレール長手方向に移動可能でかつ保持溝２３から容易には脱落しないように、適宜の寸法としてもよい。また、この固定部３８の厚さ寸法は、上ガイドレール２０が保持溝２３の溝底側に止着されたねじ等の止具によって取付対象に取り付けられる場合には、この止具の頭部に干渉しないように保持溝２３の溝深さ寸法よりも小としてもよい。また、ボルト３６の雄ねじ部３７の長さは、保持溝２３の溝底に当接しないように適宜の長さとしてもよい。
【００３３】
次に、上記構成とされたパネル装置１のパネル体１０のスライド動作の一例について説明する。
図１（ｂ）に示すように、パネル体１０がストッパー部３１に当接された状態からパネル体１０をストッパー部３１から離間させる方向（スライド方向他方側）に移動させれば、トリガー部３４によって緩衝機構１５が助勢力を蓄勢するように作動される。つまり、トリガー部３４に第１突起部１８が係合したスライド体１７に対してパネル体１０がスライド方向他方側に移動することで、シリンダー１６のロッドが伸長される。そして、スライド体１７が上記したケーシングのスライド溝の第２ランナー１３側の端部に位置すれば、トリガー部３４によって押されるように回転して第１突起部１８が没入状態とされる（図２参照）。これにより、トリガー部３４とスライド体１７（第１突起部１８）との係合が解除され、トリガー部３４の下方側をスライド方向他方側にスライド体１７、つまりは、パネル体１０の移動が可能となる。
【００３４】
上記のようにスライド方向他方側に移動したパネル体１０をストッパー部３１に近接させる方向（スライド方向一方側）に移動させれば、トリガー部３４に第２突起部１９が当接し、没入状態とされた第１突起部１８が突出するようにスライド体１７が回転する。これにより、図１（ａ）に示すように、スライド体１７の第１突起部１８にトリガー部３４が係合して緩衝機構１５が作動、つまりは、シリンダー１６のロッドの縮退による減速と付勢部材の付勢による助勢とがなされる。そして、このように減速されたパネル体１０がストッパー部３１に当接し、図１（ｂ）に示すように、パネル体１０が所望する停止位置において停止される。
【００３５】
また、パネル体１０を建て付ける際や、振動等によってトリガー部３４よりもスライド方向他方側において保持部による保持が解除されて第１突起部１８が突出した状態であれば、以下のようにしてもよい。
まず、スライド体１７が復帰部３５よりもスライド方向他方側に位置するようにパネル体１０を位置させ、このパネル体１０をスライド方向一方側に移動させる。これにより、スライド体１７の第１突起部１８が復帰部３５に当接し、互いの傾斜面１８ｂ，３５ａのガイド作用によってケーシングの弾性変形を伴い第１突起部１８（スライド体１７）が沈み込むように復帰部３５を通過する。そして、復帰部３５の係合面３５ｂに第１突起部１８の係合面１８ａを当接させて係合させた状態で、パネル体１０をスライド方向他方側に移動させる。これにより、上記同様、スライド体１７に係合した復帰部３５によってシリンダー１６のロッドが伸長される。また、上記同様、スライド体１７が上記したケーシングのスライド溝の第２ランナー１３側の端部に位置すれば、復帰部３５によって押されるように回転して第１突起部１８が正常な没入状態とされる。
【００３６】
本実施形態に係るパネル装置１は、上述のような構成としたことで、パネル体１０を任意の位置において停止可能としながらも、停止位置に移動するパネル体１０の衝撃を緩和することができる。
つまり、パネル体１０の上下方向一端側に、スライド方向一方側に移動するパネル体１０を減速させる緩衝機構１５を設けた構成としている。また、この緩衝機構１５を作動させるトリガー部３４とパネル体１０のスライド方向一方側への移動を抑止するストッパー部３１とをガイドレール２０の長手方向の任意の位置に固定可能としている。従って、任意の位置に固定したストッパー部３１によってスライド方向一方側に移動するパネル体１０を停止させることができる。また、任意の位置に固定したトリガー部３４によってパネル体１０の緩衝機構１５を作動させることができ、停止位置に移動するパネル体１０を減速させることができ、ストッパー部３１に対するパネル体１０の衝撃を緩和することができる。これにより、例えば、戸枠等を設けることなく、パネル体を一時的な衝立や間仕切、扉等としてスライド自在に配設し、ガイドレール２０の長手方向の任意の位置において停止させたいような場合に、特に好適なものとなる。
【００３７】
また、本実施形態では、トリガー部３４を、緩衝機構１５を作動させてパネル体１０の減速が可能なように、ストッパー部３１からスライド方向に所定間隔を隔てた位置にストッパー部３１に対して固定的に設けている。従って、これらトリガー部３４とストッパー部３１とをガイドレール２０の任意の位置に個別に取り付ける必要があるようなものと比べて、これらの固定位置の位置合わせを容易に行え、取付時の作業性を向上させることができる。つまり、上記のように、パネル体１０とストッパー部３１との間に所定の作動（制動）距離が設けられる位置において緩衝機構１５が作動するように適宜の位置にトリガー部３４を配設する必要がある。上記構成によれば、パネル体１０を停止させたい任意の位置にストッパー部３１を固定すれば、トリガー部３４が適切な位置に位置付けられることとなり、取付時の作業性を極めて向上させることができる。
【００３８】
また、本実施形態では、ガイドレール２０に、ストッパー部３１及びトリガー部３４の両方または一方を、ガイドレール２０に対して固定する固定部３８を長手方向にスライド自在に保持する保持溝２３を設けている。従って、保持溝２３に保持させた状態で固定部３８をガイドレール２０の長手方向に沿って移動させることができ、取付時の作業性をより向上させることができる。
また、本実施形態では、固定部３８を、保持溝２３の溝内壁２４に圧接されてガイドレール２０に対して固定される構造としている。従って、例えば、ねじ等の止具をガイドレール２０の止具孔等に挿通させて固定部３８を固定する必要があるようなものと比べて、取付時の作業性をより向上させることができ、また、取付位置の自由度を向上させることができる。
【００３９】
また、本実施形態では、固定部３８を、保持溝２３の溝内壁２４に圧接させて固定する固定状態と保持溝２３に沿わせてスライド自在とする固定解除状態とに切り替える操作部３６を設けた構成としている。従って、固定部３８を固定解除状態とすることで、この固定部３８とともにトリガー部３４及びストッパー部３１（ストッパーユニット３０）を、ガイドレール２０の長手方向に沿って任意の位置にスライドさせるように移動させることができる。これにより、例えば、トリガー部３４及びストッパー部３１（ストッパーユニット３０）を取り外して移動させる必要があるようなものと比べて、トリガー部３４及びストッパー部３１（ストッパーユニット３０）の位置を変更する際の作業性を向上させることができる。
【００４０】
また、本実施形態では、ガイドレール２０を、パネル体１０を吊下支持する上ガイドレール２０とし、緩衝機構１５を、パネル体１０の上端側に設けた構成としている。従って、パネル体１０の下端側をガイドするガイドレールを不要とでき、パネル体１０の下方側（床３側）の見栄えを向上させることができる。なお、このような態様に代えて、ガイドレール２０を、パネル体１０の下端側をガイドする下ガイドレールとし、緩衝機構１５を、パネル体１０の下端側に設けるようにしてもよい。この場合は、上記したトリガー部３４及びストッパー部３１（ストッパーユニット３０）を、下ガイドレールの長手方向の任意の位置に固定可能とすればよい。また、この場合は、パネル体１０の上端部に、上ガイドレールに係合してガイドされる適宜の係合部を設け、パネル体１０の下端部に、下ガイドレールにガイドされる適宜の戸車等を設けた下荷重型としてもよい。
【００４１】
なお、トリガー部３４及びストッパー部３１（ストッパーユニット３０）を固定する単一の固定部３８を設けた例を示しているが、ストッパーユニット３０のスライド方向に間隔を空けて複数の固定部３８を設けた態様としてもよい。
また、トリガー部３４及びストッパー部３１（ストッパーユニット３０）をガイドレール２０の長手方向の任意の位置に固定可能とする固定部３８としては、上記のような態様に限られず、種々の変形が可能である。また、上記のような保持溝２３に沿ってスライド自在とされた固定部３８を設けた態様に代えて、ガイドレール２０の底壁部２２等に、長手方向に沿って間隔を空けて多数の雌ねじ部を固定部として設けたような態様としてもよい。トリガー部３４及びストッパー部３１（ストッパーユニット３０）をガイドレール２０の長手方向の任意の位置に固定可能とする固定部３８としては、その他、種々の変形が可能である。
【００４２】
また、本実施形態では、ストッパーユニット３０に復帰部３５を設けた例を示しているが、このような復帰部３５を設けないようにしてもよい。
また、本実施形態では、トリガー部３４をストッパー部３１に対して固定的に一部材的に設けた例を示しているが、このような態様に代えて、これらトリガー部３４とストッパー部３１とを離間させて配されるように別部材とした構成としてもよい。この場合は、これらトリガー部３４とストッパー部３１とをガイドレール２０の長手方向の任意の位置に固定可能とする固定部を個別に設けるようにしてもよい。
また、本実施形態では、緩衝機構１５を、被ガイド部として機能する第２ランナーユニット１２に組み込んだ例を示しているが、このような態様に限られず、第２ランナー１３とは別途に設けた態様としてもよい。
【００４３】
また、本実施形態では、緩衝機構１５に、スライド方向に伸縮するロッドを有したシリンダー１６を設けた例を示しているが、このような態様に限られない。緩衝機構１５としては、例えば、トリガー部３４に係合し、パネル厚さ方向に沿う軸廻りに回転する作動アームを有したものとしもよく、その他、種々の変形が可能である。また、このような緩衝機構１５の構造に対応させて、トリガー部３４を適宜、変形するようにしてもよい。
また、本実施形態では、スライド方向一方側に移動するパネル体１０を減速させる緩衝機構１５を設けた例を示しているが、スライド方向他方側に移動するパネル体１０を減速させる緩衝機構１５を更に設けた態様としてもよい。この場合は、この緩衝機構１５を作動させる上記同様なトリガー部３４及びスライド方向他方側に移動するパネル体１０のスライド方向他方側への移動を抑止する上記同様なストッパー部３１を更に設けた態様としてもよい。
また、本実施形態では、単一のガイド溝２１を設けた単レール構造のガイドレール２０にガイドされる一枚のパネル体１０を設けた例を示しているが、このような態様に限られない。単一のガイド溝２１を設けた単レール構造または複数本のガイド溝２１を設けた複数連レール構造のガイドレール２０にガイドされる複数枚のパネル体１０を設けた構成としてもよい。この場合は、これらパネル体１０のそれぞれに緩衝機構１５を設けるようにしてもよく、または、パネル体同士を連動させる連動機構を設けたような態様としてもよい。
【符号の説明】
【００４４】
１    パネル装置
１０  パネル体
１５  緩衝機構
２０  上ガイドレール（ガイドレール）
２３  保持溝
２４  溝内壁
３１  ストッパー部
３４  トリガー部
３８  固定部
【図１】
2016199938.tif 000003
【図２】
2016199938.tif 000004
【図３】
2016199938.tif 000005
【図４】
2016199938.tif 000006